【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】
遊技者が所定の遊技を行い、特定の条件が成立したときに遊技者にとって有利な特定遊技状態に制御可能な遊技機であって、
遊技の進行を制御する遊技制御マイクロコンピュータが搭載された制御基板と、
遊技機への電力供給が停止しても所定期間は記憶内容を保持することが可能な変動データ記憶手段と、
所定電位の電源の出力電圧を監視し、該出力電圧が所定値に低下したことを検出したときに検出信号を出力する電源監視手段とを備え、
前記遊技制御マイクロコンピュータは、前記特定遊技状態の判定に用いられる判定用数値を更新する判定用数値更新手段を含み、前記判定用数値は前記変動データ記憶手段に記憶され、
前記遊技制御マイクロコンピュータは、
前記電源監視手段からの検出信号を入力するための信号入力部を備え、
前記信号入力部に前記検出信号が入力されると、割込を発生させ、割込処理にて制御状態の復旧に必要なデータを前記変動データ記憶手段におけるスタック領域に退避させ、退避させたデータの格納先のアドレスを前記変動データ記憶手段に格納するデータ退避処理を実行するデータ退避処理実行手段と、
電力供給が開始されたときに入力されるリセット信号に応じてプログラムを先頭から開始させ、所定条件の成立にもとづいて、前記判定用数値を含む前記変動データ記憶手段の記憶内容を初期化する初期化処理または前記変動データ記憶手段の記憶内容にもとづいて制御状態を復旧する復旧処理のいずれか一方を実行する電力供給開始時処理手段とを含み、
前記遊技制御マイクロコンピュータは、
前記スタック領域に退避されたデータが当該スタック領域のアドレスを超えたときに、遊技機への電力供給の停止や再開がされなくてもプログラムを先頭から開始させ、
前記所定条件の成立として、前記スタック領域に退避されたデータが当該スタック領域のアドレスを超えたときに前記初期化処理を実行し、
前記初期化処理を実行するときには、遊技機に設けられる報知手段にて報知を行うための報知処理を実行する
ことを特徴とする遊技機。
【請求項２】
遊技制御マイクロコンピュータからのコマンドにもとづいて報知手段を制御する電気部品制御マイクロコンピュータを備え、
前記遊技制御マイクロコンピュータは、報知処理にて、報知を行うことを示すコマンドを前記電気部品制御マイクロコンピュータに送信する
請求項１記載の遊技機。
【請求項３】
電気部品制御マイクロコンピュータは、
報知手段に所定期間継続的に報知を実行させ、
報知の実行期間中に新たにコマンドを受信したときには、新たに受信したコマンドを破棄する
請求項２記載の遊技機。
【請求項４】
遊技制御マイクロコンピュータは、報知処理にて、特定遊技状態の発生に関連して送出されるコマンドを、報知を行うことを示すコマンドとして電気部品制御マイクロコンピュータに送出する
請求項２または請求項３記載の遊技機。
【請求項５】
遊技制御マイクロコンピュータは、電力供給開始時処理手段が初期化処理を実行するときには、遊技機外部に初期化処理の実行を示す信号を出力する初期化信号出力処理を実行する
請求項１から請求項４のうちのいずれかに記載の遊技機。
【手続補正２】
【補正対象書類名】明細書
【補正対象項目名】００１４
【補正方法】変更
【補正の内容】
【００１４】
【課題を解決するための手段】
本発明による遊技機は、遊技者が所定の遊技を行い、特定の条件が成立したときに遊技者にとって有利な特定遊技状態に制御可能な遊技機であって、遊技の進行を制御する遊技制御マイクロコンピュータ（例えばＣＰＵ５６を含む遊技制御手段）が搭載された制御基板（例えば主基板３１）と、遊技機への電力供給が停止しても所定期間は記憶内容を保持することが可能な変動データ記憶手段（例えば電源バックアップされたＲＡＭ５５）と、所定電位の電源の出力電圧を監視し出力電圧が所定値に低下したことを検出したときに検出信号（例えば電源断信号）を出力する電源監視手段（例えば電源監視用ＩＣ９０２）とを備え、遊技制御マイクロコンピュータは、特定遊技状態の判定に用いられる判定用数値を更新する判定用数値更新手段を含み、判定用数値は変動データ記憶手段に記憶され、遊技制御マイクロコンピュータは、電源監視手段からの検出信号を入力するための信号入力部（例えばマスク不能割込端子）を備え、信号入力部に検出信号が入力されると、割込を発生させ、割込処理にて制御状態の復旧に必要なデータを変動データ記憶手段におけるスタック領域に退避させ、退避させたデータの格納先のアドレスを変動データ記憶手段に格納するデータ退避処理（例えば図３８に示す処理）を実行するデータ退避処理実行手段と、電力供給が開始されたときに入力されるリセット信号に応じてプログラムを先頭から開始させ、所定条件の成立（例えばステップＳ７ａ〜ステップＳ７ｃにて課される条件）にもとづいて、判定用数値を含む変動データ記憶手段の記憶内容を初期化する初期化処理（例えばステップＳ９〜ステップＳ１５）または変動データ記憶手段の記憶内容にもとづいて制御状態を復旧する復旧処理（例えば図２０に示す遊技状態復旧処理）のいずれか一方を実行する電力供給開始時処理手段とを含み、遊技制御マイクロコンピュータは、スタック領域に退避されたデータがスタック領域のアドレスを超えたときに、遊技機への電力供給の停止や再開がされなくてもプログラムを先頭から開始させ、所定条件の成立として、スタック領域に退避されたデータがスタック領域のアドレスを超えたときに初期化処理を実行し、初期化処理を実行するときには、遊技機に設けられる報知手段（例えば可変表示装置９、スピーカ２７、ランプ・ＬＥＤなどの発光体）にて報知を行うための報知処理（例えばステップＳ１４）を実行することを特徴とする。
【手続補正３】
【補正対象書類名】明細書
【補正対象項目名】００１５
【補正方法】変更
【補正の内容】
【００１５】
遊技制御マイクロコンピュータからのコマンドにもとづいて報知手段を制御する電気部品制御マイクロコンピュータ（例えば表示制御用ＣＰＵ１０１を含む表示制御手段、ランプ制御用ＣＰＵ３５１を含むランプ制御手段、音制御用ＣＰＵ７０１を含む音制御手段）を備え、遊技制御マイクロコンピュータが、報知処理にて、報知を行うことを示すコマンド（例えば初期化報知コマンド）を電気部品制御マイクロコンピュータに送信する（例えばステップＳ１４）ように構成されていてもよい。
【手続補正４】
【補正対象書類名】明細書
【補正対象項目名】００１６
【補正方法】変更
【補正の内容】
【００１６】
電気部品制御マイクロコンピュータは、報知手段に所定期間継続的に報知を実行させ、報知の実行期間中に新たにコマンドを受信したときには、新たに受信したコマンドを破棄する（例えばステップＳ６８２、ステップＳ６８３）ように構成されていてもよい。
【手続補正５】
【補正対象書類名】明細書
【補正対象項目名】００１７
【補正方法】変更
【補正の内容】
【００１７】
遊技制御マイクロコンピュータが、報知処理にて、特定遊技状態の発生に関連して送出されるコマンド（例えば大当り開始時表示コマンド）を、報知を行うことを示すコマンドとして電気部品制御マイクロコンピュータに送出するように構成されていてもよい。
【手続補正６】
【補正対象書類名】明細書
【補正対象項目名】００１８
【補正方法】変更
【補正の内容】
【００１８】
遊技制御マイクロコンピュータは、電力供給開始時処理手段が初期化処理を実行するときには、遊技機外部に初期化処理の実行を示す信号を出力する初期化信号出力処理（例えば、ステップＳ１１）を実行するように構成されていてもよい。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】０３４７
【補正方法】変更
【補正の内容】
【０３４７】
【発明の効果】
以上のように、請求項１記載の発明では、遊技機を、遊技制御マイクロコンピュータが、信号入力部への信号入力にもとづいて、制御状態の復旧に必要なデータを変動データ記憶手段に退避させるデータ退避処理を実行し、電力供給が開始されたときに入力されるリセット信号に応じてプログラムを先頭から開始させ、所定条件の成立にもとづいて、制御状態を初期化する初期化処理または変動データ記憶手段の記憶内容にもとづいて制御状態を復旧する復旧処理のいずれか一方を実行し、初期化処理を実行するときには、遊技機に設けられる報知手段にて報知を行うための報知処理を実行する構成としたので、制御手段に初期化処理を実行させる不正行為が行われても、そのような不正行為を容易に発見することができる効果がある。
また、変動データ記憶手段が判定用数値を記憶し、初期化処理を実行するときに判定用数値を初期化する構成とされているので、不安定なデータにもとづく処理が実行され、不具合が生じることを防止することができる。
さらに、データ退避処理実行手段が、データ退避処理にて制御状態の復旧に必要なデータをスタック領域に退避させ、退避させたデータの格納先のアドレスを変動データ記憶手段に格納する処理を行い、スタック領域に退避されたデータがスタック領域のアドレスを超えたときには、初期化処理を実行するように構成されているので、不安定なデータにもとづく処理が実行され、不具合が生じることを防止することができる。
【手続補正１０】
【補正対象書類名】明細書
【補正対象項目名】０３４８
【補正方法】変更
【補正の内容】
【０３４８】
請求項２記載の発明では、遊技制御マイクロコンピュータからのコマンドにもとづいて報知手段を制御する電気部品制御マイクロコンピュータを備え、遊技制御マイクロコンピュータが、報知処理にて、報知を行うことを示すコマンドを電気部品制御マイクロコンピュータに送信するように構成されているので、遊技制御マイクロコンピュータにおける報知を行うための処理負担が軽減される。
【手続補正１１】
【補正対象書類名】明細書
【補正対象項目名】０３４９
【補正方法】変更
【補正の内容】
【０３４９】
請求項３記載の発明では、電気部品制御マイクロコンピュータが、報知手段に所定期間継続的に報知を実行させ、報知の実行期間中に新たにコマンドを受信したときには、新たに受信したコマンドを破棄する構成とされているので、報知を優先的に行うことができ、不正にコマンドが送信されることによって報知が停止されてしまうことを防止することができる。
【手続補正１２】
【補正対象書類名】明細書
【補正対象項目名】０３５０
【補正方法】変更
【補正の内容】
【０３５０】
請求項４記載の発明では、特定の条件が成立した場合に遊技者にとって有利な特定遊技状態に制御可能であり、遊技制御マイクロコンピュータが、報知処理にて、特定遊技状態の発生に関連して送出されるコマンドを、報知を行うことを示すコマンドとして電気部品制御マイクロコンピュータに送出するように構成されているので、報知を行うことを示すコマンドを無効化する不正行為が行われた場合、特定遊技状態の制御に支障を来すこととなり不正行為を容易に発見することができる。
【手続補正１３】
【補正対象書類名】明細書
【補正対象項目名】０３５１
【補正方法】変更
【補正の内容】
【０３５１】
請求項５記載の発明では、遊技制御マイクロコンピュータが、初期化処理を実行するときには、遊技機外部に初期化処理の実行を示す信号を出力する初期化信号出力処理を実行するように構成されているので、遊技機から離れた場所で容易に不正行為を発見することができるようになる。
【手続補正１４】
【補正対象書類名】明細書
【補正対象項目名】０３５２
【補正方法】削除
【補正の内容】
【手続補正１５】
【補正対象書類名】明細書
【補正対象項目名】０３５３
【補正方法】削除
【補正の内容】
【手続補正１６】
【補正対象書類名】図面
【補正対象項目名】図１８
【補正方法】変更
【補正の内容】
【図１８】
2003062277.tif 000001